(57)【要約】【課題】高所取付で、取付金具の爪部が目視できない場合でも、定める固定位置に容易かつ正確に取付可能なエアカーテン装置を提供する。【解決手段】背面パネル８と、取付パネル１３を備えたエアカーテン装置であって、背面パネル８に設けられた爪部１０は、下方に向けて先細に延設された形状を有し、取付パネル１３に設けられた差込部１４は、前後方向に幅広で差込部１４の前後方向における一点において左右方向の長さが最も長い最大両端長有し、最大両端長が爪部１０において左右方向の長さと一致するエアカーテン装置を提供する。【選択図】図２
2018115834.tif 000002
【特許請求の範囲】
【請求項１】
前面と背面とを有する筐体の背面に位置し爪部を有する背面パネルと、
前記爪部と係合する差込部を有し前記背面パネルを取り付け位置に固定する取付パネルと、を備え、
前記爪部は、
左右方向に配置された長辺が前記背面パネルと接続し当該長辺から前記取付パネル方向に突出した突出基部と、
前記突出基部の前記取付パネル側先端から下方に向けて先細に延設された挿入部と、を備え、
前記差込部は、
前記背面パネル方向に突出した周縁部と、
前記周縁部を外周として形成され前記挿入部が挿入される孔部と、を備え、
前記孔部は、
前記前面から前記背面に向かう前後方向に幅広で当該孔部の前後方向における一点において左右方向の長さが最も長い最大両端長を有し、
前記最大両端長は、
前記突出基部の前記取付パネル側先端における左右方向の長さと一致する、エアカーテン装置。
【請求項２】
前記孔部は、
左右方向における両端部がそれぞれ円弧形状である請求項１記載のエアカーテン装置。
【請求項３】
前記孔部は、
左右方向における両端部がそれぞれ二辺で構成された角部を備え、
前記両端部に設けられた角部を結ぶ線が前記背面パネルと平行である請求項１に記載のエアカーテン装置。
【請求項４】
前記突出基部は、
前記取付パネルに対して垂直に配置され、
前記挿入部は、
前記突出基部に対して傾斜を有して延設された請求項１から３のいずれかに記載のエアカーテン装置。
【請求項５】
前記突出基部は、
前記取付パネルに対して垂直に配置され、
前記挿入部は、
前記突出基部に対して鉛直下方に延設された請求項１から３のいずれかに記載のエアカーテン装置。
【請求項６】
前記周縁部の前記背面パネル側の上面が前記突出基部の下面を上方に付勢し、
前記周縁部の前記取付パネル側の下面が前記挿入部の上面を下方に付勢して、前記背面パネルを前記取付パネルに近接固定する請求項１から５のいずれかに記載のエアカーテン装置。
【請求項７】
前記爪部は、
左右方向に配置された前記長辺が前記背面パネルの同一直線に位置するように３個以上備えた請求項１から６のいずれかに記載のエアカーテン装置。
【請求項８】
外郭を構成する前記筐体と、
前記筐体の内部に空気を取り入れる吸込口と、
前記筐体の外部に空気を吹き出す吹出口と、
前記吸込口から前記吹出口に空気を導くファンとを備えた請求項１から７のいずれかに記載のエアカーテン装置。
【発明の詳細な説明】
【技術分野】
【０００１】
本発明は、エアカーテン装置に関するものである。
【背景技術】
【０００２】
従来のエアカーテン装置は、カーテン状の気流により外気を遮断することで、室内の冷暖房した熱を逃げにくくしたり、室外の埃の進入を遮断したりするため、食料品店やレストランの出入り口等において使用される。
【０００３】
従来のエアカーテン取付構造を図６に示す。ここで、図６は背部斜面図であり、図７は取付金具の斜面図である。
【０００４】
図６、図７に示すエアカーテン取付構造は、取付金具１１７を部屋の出入口上部の垂直壁面に固定し、本体１１５の係合金具１１６を取付金具１１７の上側係止片１１８に嵌入する。これにより、下側の係止片１１９が本体１１５の背面に当接して本体１１５が取付金具１１７に仮止めされる構造である。
【先行技術文献】
【特許文献】
【０００５】
【特許文献１】実開昭５１−６３２６８号公報
【発明の概要】
【発明が解決しようとする課題】
【０００６】
このような従来のエアカーテン取付構造では、エアカーテン装置を定める固定位置に正確に取付ることが可能である。しかしながら、エアカーテン装置は高所に取付けるものであるため、取付金具の係止片を下方から目視する必要がある。にも係らず、実際の取りつけ時には、本体１１５を持ち上げた際には本体１１５の背面に設けられた係合金具が本体１１５に隠れてしまい、係止片と係合金具を容易に合致させることが困難であるという課題を有していた。
【０００７】
そこで本発明では、このような従来の課題を解決するものであり、高所取付において、定められた固定位置に容易かつ正確に取り付け可能なエアカーテン装置を提供することを目的とする。
【課題を解決するための手段】
【０００８】
本発明に係るエアカーテン装置は上記の目的を達するために、外郭を構成する筐体と、前記筐体の内部に空気を取り入れる吸込口と、前記筐体の外部に空気を吹き出す吹出口と、前記吸込口から前記吹出口に空気を導くファンを備えたエアカーテン装置であって、前面と背面とを有する筐体の背面に位置し爪部を有する背面パネルと、前記爪部と係合する差込部を有し前記背面パネルを取り付け位置に固定する取付パネルとを備え、前記爪部は、左右方向に配置された長辺が前記背面パネルと接続し当該長辺から前記取付パネル方向に突出した突出基部と、前記突出基部の前記取付パネル側先端から下方に向けて先細に延設された挿入部とを備え、前記差込部は、前記背面パネル方向に突出した周縁部と、前記周縁部を外周として形成され前記挿入部が挿入される孔部とを備え、前記孔部は、前記前面から前記背面に向かう前後方向に幅広で当該孔部の前後方向における一点において左右方向の長さが最も長い最大両端長を有し、前記最大両端長は、前記突出基部の前記取付パネル側先端における左右方向の長さと一致するものであり、これにより所期の目的を達成するものである。
【発明の効果】
【０００９】
本発明によれば、高所取付において、定められた固定位置に容易かつ正確に取り付け可能なエアカーテン装置を提供できる。
【図面の簡単な説明】
【００１０】
【図１】本発明に係るエアカーテン装置の斜視図。
【図２】本発明に係るエアカーテン装置の断面図。
【図３】背面パネルの斜視図及び爪部周辺の部分側断面図。
【図４】取付パネルの斜視図及び平面図。
【図５】複数種の孔部形状を示す上面図。
【図６】従来のエアカーテンの取付構造の斜視図。
【図７】従来のエアカーテンの取付金具の斜視図。
【発明を実施するための形態】
【００１１】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１２】
まず、図１を用いて本発明に係るエアカーテンの概略構成について説明する。なお、図１は本発明に係るエアカーテン装置１の斜視図である。
【００１３】
図１に示すエアカーテン装置１は、例えば下方に出入口となる開口を備えた壁面１２の上方に設置される。エアカーテン装置１は、筐体２と、背面パネル８と、吸込口３と、吹出口４と、モーター４０と、ファン５と、を備えている。
【００１４】
筐体２は、エアカーテン装置１の外郭を形成し、ファン５やモーター４０などの内蔵する部品を外部から保護する。筐体２は、壁面１２に平行に近接する背面と、当該背面に対向する前面とを有する。筐体２は、壁面１２の上方に配置されるため、設置時には、前面、左右両側面、及び下面が使用者の目に曝されるが、上面及び背面は通常、使用者の目には触れない。筐体２は、背面に背面パネル８を備えている。
【００１５】
背面パネル８は、左右方向に長い矩形板状を有している。背面パネル８は、筐体２の背面側に位置しておればよく、必ずしも筐体２と一体的に構成されている必要は無い。
【００１６】
吸込口３は、筐体２の上面に設けられた開口である。吸込口３は、筐体２の左側面から右側面の両側面端部にわたって、内蔵されるファン５の上部に設けられている。
【００１７】
吹出口４は、筐体２の下面に設けられた開口である。吹出口４は、筐体２の左側面から右側面の両側面端部にわたって、内蔵されるファン５の下部に設けられている。
【００１８】
モーター４０は、筐体２の左右方向の中央に配置される。モーター４０は、両側にシャフトを持つ両軸モーターであり、左右方向に伸びたシャフトに対して、ファン５が接続されている。モーター４０は、電源コードを通して給電されることにより、シャフトを回転させる。
【００１９】
ファン５は、中空円筒形状を有し、天面及び底面が左右方向に向けられて配置される。ファン５は、円筒形状の曲面である側面に沿い、全周にわたって等間隔に複数の羽根が配置される。ファン５は、天面中央から底面中央を貫通する回転軸を中心に回転することにより、ファン５の外部から内部を介して再度外部に送風を行う。ファン５は、長尺で一様な気流を発生させるために、例えばクロスフローファンなどが採用される。
【００２０】
エアカーテン装置１は、モーター４０に電源が投入されると、ファン５が回転して吸込口３から筐体２の内部に空気が流入し、ファン５を介して吹出口４から筐体２の外部、すなわち鉛直下方向に空気を送出する。
【００２１】
次に図２、図３、図４を用いて、本発明に係るエアカーテン装置１の概略取付構成について説明する。なお図２は、図１に示す平面Ａによる断面図、図３は、背面パネルの斜視図及び爪部周辺の部分側断面図、図４は、取付パネルの斜視図及び平面図である。
【００２２】
背面パネル８は、左右方向に長い矩形板状を有しており、上部には前面方向に延設された天板が接続されている。本実施の形態では、天板が筐体２の上部に接続し、すなわち筐体２を上面から吊り下げる構造であるため、背面パネル８と筐体２との接続が安定する。背面パネル８は、壁面１２の方向に突出する爪部１０を備えている。
【００２３】
爪部１０は、背面パネル８の左右方向に３箇所、同一直線状に配置されている。爪部１０は、突出基部１０ａと、挿入部１０ｂとを備えている。
【００２４】
突出基部１０ａは、矩形板形状を有し、長辺を背面パネル８の左右方向に平行にして、当該背面パネル８に接続される。突出基部１０ａは、背面パネル８に接続した長辺から、壁面１２方向、言い換えると取付パネル１３方向に水平に突出して設けられる。つまり、突出基部１０ａの平面と背面パネル８の平面とは垂直に交わり、また、突出基部１０ａの平面は、取付パネル１３に対して垂直に配置される。
【００２５】
挿入部１０ｂは、突出基部１０ａの取付パネル１３側の先端（図２における右側）から、さらに取付パネル１３側の下方に向けて延設される。挿入部１０ｂは、突出基部１０ａの取付パネル１３側の先端の左右方向の長さが一番長く、延設先である下方に向けて、左右方向の幅が漸次短くなる台形形状を有する。挿入部１０ｂは、突出基部１０ａに対して傾斜を有して延設され、もしくは、鉛直下方に延設される。挿入部１０ｂは、鉛直下方に延設される場合には、突出基部１０ａの平面に対して垂直となる。
【００２６】
突出基部１０ａと挿入部１０ｂとは、複数（本実施の形態では３箇所）設けられる場合には各部のサイズが同一であり、すなわち挿入部１０ｂの延設された先端部は、同一の直線上に位置する。
【００２７】
エアカーテン装置１は、さらに取付パネル１３を備えている。
【００２８】
取付パネル１３は、左右方向に長い矩形板状を有している。取付パネル１３は、長辺を水平にして壁面１２に設置されており、差込部１４を備えている。
【００２９】
差込部１４は、周縁部２０と、孔部２１とを備える。
【００３０】
周縁部２０は、取付パネル１３から背面パネル８方向に水平に突出する矩形板形状を有する。つまり、周縁部２０の平面と取付パネル１３の平面とは垂直に交わり、周縁部２０の平面と突出基部１０ａの平面とは平行関係にある。周縁部２０は、板形状の内部に孔部２１を備えており、すなわち周縁部２０は孔部２１の外周を形成する。
【００３１】
孔部２１は、挿入部１０ｂを挿入するための開口であり、取付パネル１３上に、爪部１０に対応させて３箇所設けられている。孔部２１は、筐体２の前面から背面に向かう前後方向に幅広に形成される。ここで幅広とは、孔部２１に挿入される挿入部１０ｂの厚みに対して十分に幅が大きく、挿入に際して前後方向に余裕があることを意味する。孔部２１は、前後方向における一点において左右方向の長さが最も長い最大両端長を有する。
【００３２】
最大両端長は、両端の一点が前後方向における同一の位置に設けられており、つまり孔部２１の両端の一点を結ぶ直線は、取付パネル１３と平行となる。最大両端長は、突出基部１０ａの取付パネル１３側先端における左右方向の長さと一致する。
【００３３】
最大両端長を有する孔部２１は、複数の形状を例示することができる。以下、複数の形状を、図５を用いて説明する。図５は複数種の孔部形状を示す上面図である。
【００３４】
孔部２１の形状は、大きく分けて両端部円弧形状２１ａ、両端部角形状２１ｂの２種類である。
【００３５】
両端部円弧形状２１ａは、孔部２１の左右方向における両端部が円弧形状を有する。前後方向における一点２２は、円弧形状の両端から等距離にある中央部と一致する。ただし、円弧形状とは、本実施の形態では、単なる弧形状も含む。つまり、円弧形状が円形における弧ではなく単なる弧を指す場合には、一点２２は、弧形状の両端から等距離とは限らない。左右に設けられた２つの一点２２を結ぶ直線は、最大両端長を構成し、背面パネル８及び取付パネル１３と平行となる。
【００３６】
両端部角形状２１ｂは、左右方向における両端部に、角部２３を備える。
【００３７】
角部２３は、辺Ａ２４及び辺Ｂ２５の二辺で挟まれることで形成される。角部２３は、前後方向において同一距離に設けられる。つまり、角部２３を結ぶ直線は、最大両端長を構成し、背面パネル８及び取付パネル１３と平行となる。
【００３８】
以上がエアカーテン装置１の構成である。以上の構造を有するエアカーテン装置１について、あらかじめ壁面１２に固定された取付パネル１３の差込部１４に対して背面パネルの爪部１０を係合させることで、壁面に設置することができる。つまり、係合状態では図３下図に示すように、周縁部２０の背面パネル８側の上面２６が突出基部１０ａの下面２７を上方に付勢する。また、周縁部２０の背面パネル８側の上面側の下面２８が挿入部１０ｂの上面２９を下方に付勢する。これにより、背面パネル８を取付パネル１３に近接固定することが可能になる。
【００３９】
続いて、エアカーテン装置１の取り付け手順に付いて、図２、図３、図４を参照しながら説明する。
【００４０】
まず、作業者は、取付パネル１３を、出入口のさらに上方である高所にネジなどで固定する。次に、背面パネル８側を取付パネル１３に対向させるようにエアカーテン装置１を下方から持ち上げる。
【００４１】
この際、従来では、作業者は背面パネルの係合部を目視することができない。このため、取付パネルと背面パネルとを係合する作業は、作業者のスキルに依存するところが大きかった。
【００４２】
そこで、本発明に係るエアカーテン装置１では、差込部１４を構成する孔部２１を前後方向に幅広に構成し、すなわち差込許容範囲を広げている。そして、挿入部１０ｂを下方に向けて先細に構成している。つまり、作業者は、挿入部１０ｂをピンポイントで孔部２１に挿入する必要はない。言い換えると、挿入部１０ｂを孔部２１に近接させることが容易になる。そして、挿入部１０ｂの先端部のみ挿入すれば、容易に挿入可能となるのである。
【００４３】
さらに、挿入部１０ｂを孔部２１に近接させた際に、挿入部１０ｂが孔部２１に対して左右方向にずれた場合でも、挿入部１０ｂは下方に先細に延設されているため、孔部２１への挿入が可能となる。そして、エアカーテン装置１に対して鉛直方向に力が加わった際に、左右のずれが挿入部１０ｂの形状に従って是正されながら孔部２１に挿入される。
【００４４】
また、孔部２１は左右方向の一点において最大両端長を有し、この最大両端長が突出基部１０ａの取付パネル１３側先端における左右方向の長さと一致する。このため、挿入部１０ｂを孔部２１に近接させた際に、挿入部１０ｂが孔部２１に対して前後方向にずれた場合でも、前後のずれが突出基部１０ａと孔部２１の形状に従って是正されながら孔部２１に挿入される。
【００４５】
また、挿入部１０ｂは、突出基部１０ａに対して傾斜を有するため、背面パネル８と取付パネル１３との間に作業領域を保持した状態で挿入部１０ｂを孔部２１に挿入でき、作業を容易に行うことが可能となる。
【００４６】
以上のようにエアカーテン装置１は、高所取付において、背面パネルや爪部を目視できない場合でも定められた固定位置への取り付けが容易に、かつ前後左右方向に正確にできる。
【００４７】
なお、孔部２１が両端部角形状２１ｂを有する場合は、両端部円弧形状２１ａと比べ両端部の角部と挿入部１０ｂの接面がより鋭角に接するため、スムーズに重力により固定位置へと誘導される。すなわち、挿入部１０ｂを孔部２１に確実に深く差込むことができるため、取付精度が向上する。
【００４８】
また、爪部１０は、長辺が背面パネル８の左右方向において同一直線上に３個以上備えることにより、高所取付の際、挿入部１０ｂが１箇所だけ差込まれていない場合でもこの挿入部１０ｂが孔部２１に誘導される。すなわち、爪部１０の２箇所が挿入されると、自動的に残りの爪部１０が孔部２１に挿入されるため定められた固定位置への取り付けが容易になる。
【産業上の利用可能性】
【００４９】
本発明に係るエアカーテン装置は、高所取付において、定められた固定位置に容易かつ正確に取り付け可能なエアカーテン装置として有用である。
【符号の説明】
【００５０】
１    エアカーテン装置
２    筐体
３    吸込口
４    吹出口
５    ファン
８    背面パネル
１０    爪部
１０ａ    突出基部
１０ｂ    挿入部
１２    壁面
１３    取付パネル
１４    差込部
１５    本体
１８    上側係止片
２０    周縁部
２１    孔部
２１ａ    両端部円弧形状
２１ｂ    両端部角形状
２２    一点
２３    角部
２４    辺Ａ
２５    辺Ｂ
２６，２９    上面
２７，２８    下面
４０    モーター
【図１】
2018115834.tif 000003
【図２】
2018115834.tif 000004
【図３】
2018115834.tif 000005
【図４】
2018115834.tif 000006
【図５】
2018115834.tif 000007
【図６】
2018115834.tif 000008
【図７】
2018115834.tif 000009